【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
被験者の位置に基づく生理的履歴を作成するためのコンピュータにより実行される方法であって、前記方法は：
プロセッサの支援により、前記被験者の位置に基づく生理的履歴を、前記被験者の地理位置情報データを、生理的データおよび外因性データと相関付けることにより作成することを含み、
前記地理位置情報データは、前記被験者上の、またはそれに付随するする地理位置情報システムの支援により取得され、ならびに
前記外因性データは、前記被験者の地理的位置における環境的な状態であるか、またはそれに関するものである方法。
【請求項２】
被験者の位置に基づく生理的履歴を生成するためのコンピュータにより実行される方法であって、前記方法は：
プロセッサの支援により、前記被験者の地理位置情報データを、生理的データおよび個人の行動データと相関付けることにより前記被験者の位置に基づく生理的履歴を生成させることを含み、
前記地理位置情報データは、前記被験者上の、またはそれに付随する地理位置情報システムの支援により取得される方法。
【請求項３】
健康監視機器であって、以下を含む機器：筐体；
前記筐体内の地理位置情報モジュールであって、前記地理位置情報モジュールは、１つ以上の被験者の地理的位置において、地理位置情報データを取得するために構成され；および
前記筐体内のポイント・オブ・サービス・モジュールであって、前記ポイント・オブ・サービス・モジュールは、前記１つ以上の地理的位置において、前記被験者の生物学的サンプル中の検体の濃度を検出するために構成される。
【請求項４】
健康監視システムであって：
ｉ）  地理位置情報データを取得するために構成された地理位置情報モジュールであって、前記地理位置情報データは被験者の地理的位置を含み；および
ｉｉ）  前記被験者から生理的データを取得するために構成された、ポイント・オブ・サービス・モジュールを含む健康管理機器を含み；
作動可能に前記健康管理機器に連結されたサーバーであって、前記サーバーは、前記健康管理機器から、前記地理位置情報データおよび生理的データを収集するために構成されたサーバーを含み、
前記サーバーは、プロセッサの支援により、前記地理位置情報データを前記生理的データおよび前記外因性データに相関付けるために構成され、前記外因性データは、前記地理的位置における環境的な状態であるか、またはそれに関係するものであるシステム。
【請求項５】
健康監視システムであって、前記システムは：
プロセッサの支援により、被験者の地理位置情報データを、生理的データ、外因性データおよび個人の行動データの任意の２つと相関付け、それにより前記被験者の疾患状態の診断、予後または治療を支援するために構成されたコンピュータシステムを含み、
前記地理位置情報データは、前記被験者の地理的位置であるか、それに関係し、前記外因性データは、前記地理的位置における環境的な状態であるか、またはそれに関係し
、および
前記生理的データおよび個人の行動データは、前記被験者のものであるか、またはそれに関係するものであるシステム。
【請求項６】
前記被験者の健康に関する警告を提供するための方法であって、前記方法は：プロセッサの支援により、前記被験者の地理位置情報データを、生理的データおよび外因性データと相関付けることを含み、前記外因性データは、前記被験者が居住するか、または訪問を計画する位置の環境的な状態に関し；および
前記相関が統計的に有意なときに、前記相関に基づき前記被験者の健康に関する警告を提供することを含み、
前記生理的データは、前記位置への訪問中またはそれに続いて収集される、方法。
【手続補正２】
【補正対象書類名】明細書
【補正対象項目名】００４０
【補正方法】変更
【補正の内容】
【００４０】
この要旨は、以下の発明の詳細な説明で更に記載される概念の単純化された形態における選択を紹介するために提供される。この要旨は、主張される主題の主要な特徴または本質的な特性を特定することを意図しておらず、主張される主題の範囲を限定するために用いられることを意図していない。
本発明は、例えば、以下を提供する。
（項目１）
被験者の位置に基づく生理的履歴を作成するためのコンピュータにより実行される方法であって、前記方法は：
プロセッサの支援により、前記被験者の位置に基づく生理的履歴を、前記被験者の地理位置情報データを、生理的データおよび外因性データと相関付けることにより作成することを含み、
前記地理位置情報データは、前記被験者上の、またはそれに付随するする地理位置情報システムの支援により取得され、ならびに
前記外因性データは、前記被験者の地理的位置における環境的な状態であるか、またはそれに関するものである方法。
（項目２）
前記生理的データが、前記被験者上の、またはそれに付随するポイント・オブ・サービス・システムの支援により取得される、項目１に記載の方法。
（項目３）
前記生理的データが、前記被験者の地理的位置において取得される、項目１に記載の方法。
（項目４）
前記生理的データが、タンパク質濃度、血圧、呼吸パターン、白血病数、赤血病数、心拍数、体温、血圧、ＤＮＡ／ＲＮＡ発現、薬物濃度、皮膚伝導性、手の震えの量、または代謝物濃度の少なくとも１つを含む、項目１に記載の方法。
（項目５）
前記外因性データが、前記被験者の前記位置への訪問の、前に、間に、または後に収集される、項目１に記載の方法。
（項目６）
前記外因性データが、温度、大気圧、湿度、露点、風速、前記被験者により摂取される食物、またはアレルゲン、花粉、病原体、一酸化炭素、または毒素の濃度の少なくとも１つを含む項目１に記載の方法
（項目７）
前記地理位置情報データが、前記被験者上の、またはそれに付随する地理位置情報システムの支援により取得される項目１に記載の方法。
（項目８）
前記地理位置情報システムが、無線三角測量またはグローバル・ポジショニング・システム（ＧＰＳ）を用いる、項目７に記載の方法。
（項目９）
前記地理位置情報システムが、前記被験者から外因性データまたは生理的データを取得するために構成される、項目７に記載の方法。
（項目１０）
前記被験者の位置に基づく生理的履歴を：（ｉ）前記被験者、（ｉｉ）ヘルスケア提供者、（ｉｉｉ）保険提供者、または（ｉｖ）薬局に送信することを更に含む、項目１に記載の方法。
（項目１１）
前記被験者の位置に基づく生理的履歴を、他の被験者の位置に基づく生理的履歴に相関付けることを更に含む、項目１に記載の方法。
（項目１２）
被験者の位置に基づく生理的履歴を生成するためのコンピュータにより実行される方法であって、前記方法は：
プロセッサの支援により、前記被験者の地理位置情報データを、生理的データおよび個人の行動データと相関付けることにより前記被験者の位置に基づく生理的履歴を生成させることを含み、
前記地理位置情報データは、前記被験者上の、またはそれに付随する地理位置情報システムの支援により取得される方法。
（項目１３）
位置に基づく生理的履歴を生成するために、外因性データを、前記地理位置情報データ、生理的データ、および個人の行動データと相関付けることを更に含み、前記外因性データは、前記環境であるか、またはそれに関するものである、項目１２に記載の方法。
（項目１４）
前記生理的データが、前記被験者上の、またはそれに付随するポイント・オブ・サービス・システムの支援により取得される、項目１２に記載の方法。
（項目１５）
前記生理的データが、前記被験者の地理的位置において取得される、項目１２に記載の方法。
（項目１６）
前記生理的データが、タンパク質濃度、血圧、呼吸パターン、白血病数、赤血病数、心拍数、体温、血圧、ＤＮＡ／ＲＮＡ発現、薬物濃度、皮膚伝導性、手の震えの量、または代謝物濃度の少なくとも１つを含む、項目１２に記載の方法。
（項目１７）
前記地理位置情報データが、前記被験者上の、またはそれに付随する地理位置情報システムの支援により取得される、項目１２に記載の方法。
（項目１８）
前記地理位置情報システムが、無線三角測量またはグローバル・ポジショニング・システム（ＧＰＳ）を用いる、項目１７に記載の方法。
（項目１９）
前記地理位置情報システムが、前記被験者から外因性データまたは生理的データを取得するために構成される、項目１７に記載の方法。
（項目２０）
前記個人の行動データが、ソーシャルネットワーク、インターネット、通信レポジトリ―、小売業者、マルチメディアレポジトリ―、銀行、または信用金庫より構成される群から選ばれる少なくとも１つのソースから収集される、項目１２に記載の方法。
（項目２１）
前記個人の行動データが、前記被験者の、または前記被験者に関係する通信機器もしくはマルチメディア機器から取得される、項目１２に記載の方法。
（項目２２）
前記通信機器またはマルチメディア機器がポータブルである、項目２１に記載の方法。
（項目２３）
前記個人の行動データが、ソーシャルネットワーキングデータ、通信データ、購買履歴、またはマルチメディアデータの少なくとも１つを含む、項目１２に記載の方法。
（項目２４）
前記通信データが、ショート・メッセージ・サービス（ＳＭＳ）テクスト・メッセージング、マルチメディア・メッセージ・サービス（ＭＭＳ）テクスト・メッセージング、電話での会話、またはインスタント・メッセージより成る群から選ばれる、項目２３に記載の方法。
（項目２５）
前記被験者の位置に基づく生理的履歴を：（ｉ）前記被験者、（ｉｉ）ヘルスケア提供者、（ｉｉｉ）保険提供者、または（ｉｖ）薬局に送信することを更に含む、項目１２に記載の方法。
（項目２６）
前記被験者の位置に基づく生理的履歴を、他の被験者の位置に基づく生理的履歴と相関付けることを更に含む、項目１２に記載の方法。
（項目２７）
前記被験者の位置に基づく生理的履歴を生成するためのコンピュータにより実行される方法であって、前記方法は：
プロセッサの支援により、前記被験者の地理位置情報データを、個人の行動データおよび外因性データと相関付けることにより、前記被験者の位置に基づく生理的履歴を生成させることを含み、
前記地理位置情報データは、前記被験者上の、またはそれに付随する地理位置情報システムの支援により取得され、および
前記外因性データは、前記被験者の地理的位置における環境的な状態であるか、それに関するものである方法。
（項目２８）
前記被験者の位置に基づく生理的履歴を生成するためのコンピュータにより実行される方法であって、前記方法は：
プロセッサの支援により、前記被験者の地理位置情報データを生理的データ、外因性データおよび個人の行動データの任意の２つと相関付けることにより、前記被験者の位置に基づく生理的履歴を生成することを含み、
前記地理位置情報データは、前記被験者上の、またはそれに付随する地理位置情報システムの支援により取得される方法。
（項目２９）
疾患状態の診断、予後または治療を支援するために、被験者の位置に基づく生理的履歴を作成するための方法を実行する、機械に実行可能なコードを含むコンピュータ可読媒体であって、前記媒体は：
プロセッサの支援により、前記被験者の地理位置情報データを生理的データ、および外因性データと相関付けることにより、前記被験者の位置に基づく生理的履歴を生成することを含み、
前記地理位置情報データは、前記被験者上の、またはそれに付随する地理位置情報システムの支援により取得され、および
前記外因性データは、前記被験者の地理的位置における環境的な状態であるか、それに関するものである媒体。
（項目３０）
被験者の位置に基づく生理的履歴を作成するための方法を実行する、機械に実行可能なコードを含むコンピュータ可読媒体であって、前記媒体は：
プロセッサの支援により、前記被験者の地理位置情報データを生理的データ、および個人の行動データと相関付けることにより、前記被験者の位置に基づく生理的履歴を生成することを含み、
前記地理位置情報データは、前記被験者上の、またはそれに付随する地理位置情報システムの支援により取得される媒体。
（項目３１）
健康監視機器であって、以下を含む機器：筐体；
前記筐体内の地理位置情報モジュールであって、前記地理位置情報モジュールは、１つ以上の被験者の地理的位置において、地理位置情報データを取得するために構成され；および
前記筐体内のポイント・オブ・サービス・モジュールであって、前記ポイント・オブ・サービス・モジュールは、前記１つ以上の地理的位置において、前記被験者の生物学的サンプル中の検体の濃度を検出するために構成される。
（項目３２）
前記健康管理機器が、外因性データを取得するための別のモジュールを更に含む、項目３１に記載の機器。
（項目３３）
前記健康管理機器が、前記被験者に、ｉ）前記地理位置情報データ、ｉｉ）前記生理的データ、またはｉｉｉ）前記被験者の位置に基づく生理的履歴を表示するために構成された
グラフィカル・ユーザー・インターフェース（ＧＵＩ）を更に含む、項目３１に記載の機器。
（項目３４）
健康監視システムであって：
ｉ）  地理位置情報データを取得するために構成された地理位置情報モジュールであって、前記地理位置情報データは被験者の地理的位置を含み；および
ｉｉ）  前記被験者から生理的データを取得するために構成された、ポイント・オブ・サービス・モジュールを含む健康管理機器を含み；
作動可能に前記健康管理機器に連結されたサーバーであって、前記サーバーは、前記健康管理機器から、前記地理位置情報データおよび生理的データを収集するために構成されたサーバーを含み、
前記サーバーは、プロセッサの支援により、前記地理位置情報データを前記生理的データおよび前記外因性データに相関付けるために構成され、前記外因性データは、前記地理的位置における環境的な状態であるか、またはそれに関係するものであるシステム。
（項目３５）
前記外因性データを検出するために構成された、１つ以上のセンサーを更に含む、項目３４に記載のシステム。
（項目３６）
前記健康監視システムが、前記被験者に関する健康情報を作成するために構成され得る項目３４に記載のシステム。
（項目３７）
前記被験者にｉ）前記地理位置情報データ、ｉｉ）前記生理的データ、またはｉｉｉ）前記被験者の位置に基づく生理的履歴を表示するために構成されたグラフィカル・ユーザー・インターフェース（ＧＵＩ）を含む、項目３４に記載のシステム。
（項目３８）
前記健康監視システムが、前記被験者に関する健康情報を作成するために構成される、項目３４に記載のシステム。
（項目３９）
健康監視システムであって、前記システムは：
プロセッサの支援により、被験者の地理位置情報データを、生理的データ、外因性データおよび個人の行動データの任意の２つと相関付け、それにより前記被験者の疾患状態の診断、予後または治療を支援するために構成されたコンピュータシステムを含み、
前記地理位置情報データは、前記被験者の地理的位置であるか、それに関係し、前記外因性データは、前記地理的位置における環境的な状態であるか、またはそれに関係し
、および
前記生理的データおよび個人の行動データは、前記被験者のものであるか、またはそれに関係するものであるシステム。
（項目４０）
前記コンピュータシステムが、被験者から生理的データを取得するために構成された健康管理機器と操作可能に連結される、項目３９に記載のシステム。
（項目４１）
前記健康管理機器が、地理位置情報データを取得するための、地理位置情報モジュールを含む、項目４０に記載のシステム。
（項目４２）
前記コンピュータシステムが、前記生理的データ、外因性データおよび個人の行動データの任意の２つを収集するために構成される、項目３９に記載のシステム。
（項目４３）
前記コンピュータシステムが、前記被験者の地理位置情報データを、生理的データ、外因性データおよび個人の行動データの任意の２つと関連付けるために構成される、項目３９に記載のシステム。
（項目４４）
前記コンピュータシステムを有する筐体を更に含む、項目３９に記載のシステム。
（項目４５）
前記地理位置情報データが、前記筐体中の地理位置情報モジュールの支援により収集される、項目４４に記載のシステム。
（項目４６）
前記被験者の健康に関する警告を提供するための方法であって、前記方法は：プロセッサの支援により、前記被験者の地理位置情報データを、生理的データおよび外因性データと相関付けることを含み、前記外因性データは、前記被験者が居住するか、または訪問を計画する位置の環境的な状態に関し；および
前記相関が統計的に有意なときに、前記相関に基づき前記被験者の健康に関する警告を提供することを含み、
前記生理的データは、前記位置への訪問中またはそれに続いて収集される、方法。
（項目４７）
前記外因性データが、前記被験者の前記位置への訪問の、前に、間に、または後に収集される、項目４６に記載の方法。
（項目４８）
前記地理位置情報データが前記被験者上の、またはそれに付随する地理位置情報システムの支援により取得される、項目４６に記載の方法。
（項目４９）
前記地理位置情報システムが、無線三角測量またはグローバル・ポジショニング・システム（ＧＰＳ）を用いる、項目４８に記載の方法。
（項目５０）
前記地理位置情報システムが、前記被験者から外因性データまたは生理的データを取得するために構成される、項目４８に記載の方法。
（項目５１）
前記生理的データが、タンパク質濃度、血圧、呼吸パターン、白血病数、赤血病数、心拍数、体温、血圧、ＤＮＡ／ＲＮＡ発現、薬物濃度、皮膚伝導性、手の震えの量、または代謝物濃度の少なくとも１つを含む、項目４６に記載の方法。
（項目５２）
前記外因性データが、温度、空気圧、湿度、露点、風速、前記被験者により摂取される食物、またはアレルゲン、花粉、病原体、一酸化炭素、もしくは毒素の濃度の少なくとも１つを含む、項目４６に記載の方法。